(57)【要約】【課題】緩衝材の部品数を大幅に削減することができ、耐衝撃性の信頼性が高く、表示ユニットをユニット取付部材に対して高精度に位置決め固定することができる表示ユニット固定方法および表示ユニット固定構造を提供すること。【解決手段】液晶などによる表示ユニット１を緩衝材３を介してユニット取付部材２に取付け固定する表示ユニット固定方法であって、表示ユニット１の角部１４に緩衝材３に設けた曲面形状の凹部３１が当接するものである。【選択図】  図１
2004258461.tif 000002
【特許請求の範囲】
【請求項１】
表示ユニットを緩衝材を介してユニット取付部材に取付け固定する表示ユニット固定方法であって、前記表示ユニットの角部に前記緩衝材に設けた曲面形状の凹部を当接させることを特徴とする表示ユニット固定方法。
【請求項２】
請求項１に記載の表示ユニット固定方法において、前記表示ユニットが直方体形状を有し、この表示ユニットの下面の四個の角部が前記ユニット取付部材の底部の四箇所の角部に設けた前記緩衝材であってそれに形成した曲面形状の凹部に当接することを特徴とする表示ユニット固定方法。
【請求項３】
表示ユニットを緩衝材を介してユニット取付部材に取付け固定した表示ユニット固定構造であって、前記表示ユニットの角部が当接する前記緩衝材の当接面を曲面形状の凹部に形成したことを特徴とする表示ユニット固定構造。
【請求項４】
請求項３に記載の表示ユニット固定構造において、前記表示ユニットが直方体形状を有し、この表示ユニットの下面の四個の角部が前記ユニット取付部材の底部の四箇所の角部に設けた前記緩衝材であってそれに形成した曲面形状の凹部に当接することを特徴とする表示ユニット固定構造。
【発明の詳細な説明】
【０００１】
【発明の属する技術分野】
本発明は、液晶などによる表示ユニットをユニット取付部材に取付け固定する表示ユニット固定方法および表示ユニット固定構造に関するものである。
【０００２】
【従来の技術】
従来、表示ユニットを落下、振動、外部からの衝撃などに対して、安定した状態でユニット取付部材に取付け固定する方法として、表示ユニットとユニット取付部材との間に緩衝材を設ける方法が知られている。（例えば、特許文献１参照）
【０００３】
【特許文献１】
特開平０９−０５０２４７号公報
【０００４】
そして、前記特許文献１の発明は、表示ユニット（表示部）の外周面（上面、下面および４側面）全体に緩衝材を設け、この緩衝材を介して表示ユニットをユニット取付部材（外周容器）に取付け固定している。
【０００５】
【発明が解決しようとする課題】
しかしながら、前記特許文献１の発明では、表示ユニットの外周面（上面、下面および４側面）全体に緩衝材を設けるため緩衝材が多数必要であり、表示ユニットをユニット取付部材に取付け固定する際に緩衝材が所定の位置からずれてしまったり破損してしまったりする恐れがあり、更に、緩衝材の圧縮寸法にバラツキが発生するなどして表示ユニットがユニット取付部材の所定位置に取付け固定できない状態が発生して表示ユニットの取付け位置にバラツキが発生するなどの問題がある。
【０００６】
本発明は、前記従来の課題を解決するために、表示ユニットをユニット取付部材の所定位置に安定した状態で精度良く取付け固定でき、耐衝撃性等の信頼性が高く、しかも安価な構造を有する表示ユニット固定方法および表示ユニット固定構造を提供することを目的とする。
【０００７】
【課題を解決するための手段】
本発明は前記目的を達成するため、表示ユニットを緩衝材を介してユニット取付部材に取付け固定する表示ユニット固定方法であって、前記表示ユニットの角部に前記緩衝材に設けた曲面形状の凹部を当接させるものである。
【０００８】
また、前記表示ユニットが直方体形状を有し、この表示ユニットの下面の四個の角部が前記ユニット取付部材の底部の四箇所の角部に設けた前記緩衝材であってそれに形成した曲面形状の凹部に当接するものである。
【０００９】
また、表示ユニットを緩衝材を介してユニット取付部材に取付け固定した表示ユニット固定構造であって、前記表示ユニットの角部が当接する前記緩衝材の当接面を曲面形状の凹部に形成したものである。
【００１０】
また、前記表示ユニットが直方体形状を有し、この表示ユニットの下面の四個の角部が前記ユニット取付部材の底部の四箇所の角部に設けた前記緩衝材であってそれに形成した曲面形状の凹部に当接したものである。
【００１１】
【発明の実施の形態】
本発明の表示ユニット固定方法は、液晶などによる表示ユニットを緩衝材を介してユニット取付部材に取付け固定する表示ユニット固定方法であって、前記表示ユニットの角部に前記緩衝材に設けた曲面形状の凹部を当接させるものである。このように構成することにより、ユニット取付部材に取付け固定する表示ユニットの取付け位置決め位置を高精度に位置決めすることができ、耐衝撃性に対して表示ユニットを安定した状態でユニット取付部材に固定することができる表示ユニット固定方法を提供することができる。
【００１２】
また、本発明の表示ユニット固定方法は、前記表示ユニットが直方体形状を有し、この表示ユニットの下面の四個の角部が前記ユニット取付部材の底部の四箇所の角部に設けた前記緩衝材であってそれに形成した曲面形状の凹部に当接するものである。このように構成したことにより、従来、下面、上面及び四側面に各々複数設けていた緩衝材を四個の緩衝材を設けるだけで従来以上の緩衝効果が有り、緩衝材の部品数を大幅に削減することができ、非常に安価に耐衝撃性等の信頼性が高く位置決め固定精度の良い表示ユニット固定方法を提供することができる。
【００１３】
また、本発明の表示ユニット固定構造は、液晶などによる表示ユニットを緩衝材を介してユニット取付部材に取付け固定した表示ユニット固定構造であって、前記表示ユニットの角部が当接する前記緩衝材の当接面を曲面形状の凹部に形成したものである。このように構成したことにより、ユニット取付部材に取付け固定する表示ユニットの取付け位置決め位置を高精度に位置決めすることができ、耐衝撃性に対して表示ユニットを安定した状態でユニット取付部材に固定することができる表示ユニット固定構造を提供することができる。
【００１４】
また、本発明の表示ユニット固定構造は、前記表示ユニットが直方体形状を有し、この表示ユニットの下面の四個の角部が前記ユニット取付部材の底部の四箇所の角部に設けた前記緩衝材であってそれに形成した曲面形状の凹部に当接するものである。このように構成したことにより、従来、下面、上面及び四側面に各々複数設けていた緩衝材を四個の緩衝材を設けるだけで従来以上の緩衝効果が有り、緩衝材の部品数を大幅に削減することができ、非常に安価に耐衝撃性等の信頼性が高く位置決め固定精度の良い表示ユニット固定構造を提供することができる。
【００１５】
【実施例】
以下、本発明の一実施例に係わる表示ユニット固定方法および表示ユニット固定構造について、図１〜図４を参照して説明する。
【００１６】
図１は、本発明の一実施例を示す表示ユニット固定方法および表示ユニット固定構造を説明するための概略説明図であり、液晶、ＶＦＤ（蛍光表示管）、ＥＬ（エレクトロルミネセンス）などによる表示ユニット１を緩衝材３を介してユニット取付部材２に取付け固定する直前の状態を示す概略の斜視図である。
【００１７】
表示ユニット１は、この例では、液晶により表示部を構成した表示ユニットであり、上面１１と下面１２と四個の側面１３とを有する直方体形状であり、ユニット取付部材２は、表示ユニット１を緩衝材３を介して内部に取付け固定するために、表示ユニット１の外形形状よりも少し大きい内部空間を有し、下面２２と四個の側面２３とで内部空間を形成した直方体形状であり、その上面２１を開放状態にしてある。
【００１８】
緩衝材３は、図２に図示したように、例えば立方体の一角に球面形状の凹部３１を形成したものを用いる。緩衝材３は、ゴム材やエラストマー等の弾力性のある材料を使用しており、表示ユニット１が緩衝材３を押圧した際、押圧された部分が適宜収縮して、緩衝材３が表示ユニット１を支える構成である。
【００１９】
図３は、ユニット取付部材２に緩衝材３を介して表示ユニット１を取付け固定した状態を部分拡大して説明した図面である。
【００２０】
ユニット取付部材２に表示ユニット１を取り付ける前に、ユニット取付部材２の内部空間を形成している底部２５の四個の角部２４に、緩衝材３の凹部３１が内部空間側に面するようにして緩衝材３を取付け固定する。
【００２１】
ユニット取付部材２に緩衝材３を取付け固定した後、表示ユニット１の下面１２側をユニット取付部材２の内部空間に挿入して、表示ユニット１の下面１２側の四個の角部１４を緩衝材３の凹部３１に当接させる。これにより、表示ユニット１の下面１２側の四個の角部１４が緩衝材３の凹部３１を適宜押圧し、緩衝材３の凹部３１が適宜収縮して表示ユニット１が緩衝材３を介してユニット取付部材２に緩衝状態で適宜取付け固定される。
【００２２】
以上のように、表示ユニット１の下面１２の四個の角部１４を、ユニット取付部材２の底部２５の四個の角部２４に設けた緩衝材３の球面形状の凹部３１に当接させることにより、表示ユニット１をユニット取付部材２の所定位置に精度良く位置決め固定することができ、従来、表示ユニット１の上面１１、下面１２および四側面に各々複数個の緩衝材を設けて緩衝効果を出していたが、本実施例では球面形状の凹部３１を有する緩衝材３を四個設けるだけで従来以上の緩衝効果を出すことができ、表示ユニット１の上面１１、下面１２及び四側面からの衝撃に対して非常に安定した状態で固定され、信頼性の高い耐衝撃性を発揮することができ、従って、緩衝材の部品数を大幅に削減することができ、耐衝撃性の信頼性が高く、表示ユニット１をユニット取付部材２に対して高精度に位置決め固定することができる表示ユニット固定方法および表示ユニット固定構造を非常に安価に提供することができる。
【００２３】
前述の表示ユニット１を緩衝材３を介してユニット取付部材２に取付け固定する説明は、実際には、表示ユニット１を緩衝材３を介してユニット取付部材２に取付け位置決めした状態であり、取付け固定するためには、例えば、図４に要部を部分拡大した説明図に図示したように、ユニット取付部材２の下面２２の外側面２７に雌ねじを設けた連結部材取付部２６を設け、表示ユニット１の上面１１に雌ねじを設けた取付部１５を設け、連結部材取付部２６と取付部１５とを連結部材４を介してネジ５で連結固定し、表示ユニット１を緩衝材３を介してユニット取付部材２に取付け固定する。連結部材４を介した取付位置は、例えば、表示ユニット１の四個の側面１３の略中間位置の四箇所に設ける等適宜設定すれば良い。取付箇所の数も適宜設定すれば良い。また、連結部材４も適宜設定すれば良いが、例えば表示ユニット１の表示部に窓部を設けた平板状の一個のマスクフレーム（フロントカバー）などを用いても良い。
【００２４】
なお、緩衝材３の材質は、表示ユニット１のユニット取付部材２への取付け位置決めを精度良く行えるように、また、所定の耐衝撃性を有するように所定の弾性力や収縮率などの材料特性を有する材料を選定する。
【００２５】
また、緩衝材３の一角に設けた球面形状の凹部３１は、球面形状だけでなく、曲面形状の凹部３１を適宜採用することができる。更に、前記実施例では、緩衝材３は立方体の一角に球面状の凹部３１を設けたもので説明したが、立方体ではなく直方体の一角に曲面形状の凹部３１を形成しても良い。
【００２６】
また、前記実施例では、ユニット取付部材２の底部２５の四箇所の角部２４に各々緩衝材３を設けたが、これに限定されることはなく、例えば、帯状を呈する単一の緩衝材３に複数の凹部３１を形成しても良い場合もあるし、対角位置にある二箇所の角部２４に緩衝材３を設けたもので良い場合もあり、あるいは、表示ユニット１の上面１１側の角部が当接するような緩衝材３を設ける場合も同様に対応することができる。
【００２７】
【発明の効果】
以上、本発明によれば、緩衝材の部品数を大幅に削減することができ、耐衝撃性の信頼性が高く、表示ユニットをユニット取付部材に対して高精度に位置決め固定することができる表示ユニット固定方法および表示ユニット固定構造を提供することができる。
【図面の簡単な説明】
【図１】本発明の一実施例に係わる表示ユニット固定方法の概略全体構成を示す斜視図である。
【図２】本発明の一実施例に係わる表示ユニット固定方法に使用する緩衝材の斜視図である。
【図３】本発明の一実施例に係わる表示ユニット固定方法の要部拡大説明図である。
【図４】本発明の一実施例に係わる表示ユニット固定方法の要部拡大説明図である。
【符号の説明】
１      表示ユニット
２      ユニット取付部材
３      緩衝材
１２      下面
１４      角部
２４      角部
２５      底部
３１      凹部
【図１】
2004258461.tif 000003
【図２】
2004258461.tif 000004
【図３】
2004258461.tif 000005
【図４】
2004258461.tif 000006